(57)【特許請求の範囲】
【請求項１】
上下に長尺に形成され、壁に設置される収納本体と、
前記収納本体の下端部に基端部が回動自在に連結され、前記収納本体の前面側を覆う閉位置と先端側を前記収納本体から突出させた開放位置とに保持される扉体と、
前記閉位置とされた前記扉体と前記収納本体との間に収納される一方、前記開放位置とされた前記扉体の先端側と前記収納本体との間で保持可能とされたテーブルと、
を備えており、
前記テーブルは、一端部が前記扉体の先端側に回動自在に連結されており、前記収納本体には、該テーブルの他端部を着脱自在に係止する係止部が設けられていることを特徴とする収納テーブル装置。
【請求項２】
請求項１において、
前記テーブルの一端部は、前記扉体の先端側に着脱自在に連結されていることを特徴とする収納テーブル装置。
【請求項３】
請求項１または２において、
前記テーブルは、前記扉体の先端側と前記収納本体との間で保持された状態における上面側に、収納凹所を備えていることを特徴とする収納テーブル装置。
【請求項４】
請求項１乃至３のいずれか１項において、
前記扉体は、先端側における前記収納本体側の面に、収納部を備えていることを特徴とする収納テーブル装置。
【発明の詳細な説明】
【技術分野】
【０００１】
本発明は、壁に設置される収納テーブル装置に関する。
【背景技術】
【０００２】
従来より、壁に設置される収納自在とされたテーブル構造が提案されている。
例えば、下記特許文献１では、壁に設置される収納体を開閉する天板を設けた折畳みデスクが提案されている。このものでは、上記収納体の下端に天板の一端側を回動可能に取り付ける軸支部材を設け、また、この天板を支える折畳み脚を天板の他端側に軸支部材で折畳み可能に取付けた構造とされている。
また、下記特許文献２では、壁部に収納可能とされた起倒自在型の支持台の構造が提案されている。このものでは、壁部に埋設された枠体に、テーブルとしての受板の基端側に設けられた枢軸を軸支する軸受を設けるとともに、受板の基端側の上面に当接して、この受板を略水平突出状態で保持する規制部材を設けた構造とされている。
【先行技術文献】
【特許文献】
【０００３】
【特許文献１】実用新案登録第３０４８００７号公報
【特許文献２】特開２００３−８２８４４号公報
【発明の概要】
【発明が解決しようとする課題】
【０００４】
しかしながら、上記特許文献１に記載された折畳みデスクでは、天板を蓋として収納体の開口を閉じた状態では、折畳み脚が前面側に露出し、見栄えが悪いという問題があった。
また、上記特許文献２に記載された起倒自在型の支持台の構造では、受板の略水平突出状態を枠体の規制部材によって片持ち状に支持するものであるため、受板の支持状態が不安定となる恐れがあった。
【０００５】
本発明は、上記実情に鑑みてなされたものであり、見栄えを向上し得るとともに、テーブルを安定して支持し得る収納テーブル装置を提供することを目的としている。
【課題を解決するための手段】
【０００６】
上記目的を達成するために、本発明に係る収納テーブル装置は、上下に長尺に形成され、壁に設置される収納本体と、前記収納本体の下端部に基端部が回動自在に連結され、前記収納本体の前面側を覆う閉位置と先端側を前記収納本体から突出させた開放位置とに保持される扉体と、前記閉位置とされた前記扉体と前記収納本体との間に収納される一方、前記開放位置とされた前記扉体の先端側と前記収納本体との間で保持可能とされたテーブルと、を備えており、前記テーブルは、一端部が前記扉体の先端側に回動自在に連結されており、前記収納本体には、該テーブルの他端部を着脱自在に係止する係止部が設けられていることを特徴とする。
【０００７】
本発明においては、前記テーブルの一端部を、前記扉体の先端側に着脱自在に連結してもよい。
また、本発明においては、前記テーブルを、前記扉体の先端側と前記収納本体との間で保持された状態における上面側に、収納凹所を備えたものとしてもよい。
また、本発明においては、前記扉体を、先端側における前記収納本体側の面に、収納部を備えたものとしてもよい。
【発明の効果】
【０００８】
本発明に係る収納テーブル装置は、上述のような構成としたことで、見栄えを向上させることができるとともに、テーブルを安定して支持することができる。
【図面の簡単な説明】
【０００９】
【図１】（ａ）〜（ｄ）は、いずれも本発明の一実施形態に係る収納テーブル装置を模式的に示す概略斜視図である。
【図２】（ａ）は、図１（ａ）に対応させた一部破断概略正面図、（ｂ）は、図１（ｄ）に対応させた概略正面図、（ｃ）は、図１（ｄ）に対応させた概略平面図である。
【図３】（ａ）は、図１（ａ）に対応させた概略一側面図、（ｂ）は、図１（ｄ）に対応させた概略一側面図である。
【図４】（ａ）は、図２（ａ）におけるＸ１−Ｘ１線矢視に対応させた概略拡大横断面図、（ｂ）は、図２（ａ）におけるＸ２−Ｘ２線矢視に対応させた概略拡大横断面図である。
【図５】（ａ）は、図２（ｂ）におけるＹ１−Ｙ１線矢視に対応させた一部破断概略拡大縦断面図、（ｂ）は、図２（ｂ）におけるＹ２−Ｙ２線矢視に対応させた一部破断概略拡大縦断面図である。
【図６】図１（ｃ）に対応させた概略平面図である。
【図７】（ａ）は、図２（ｂ）におけるＹ３−Ｙ３線矢視に対応させた一部破断概略拡大縦断面図、（ｂ）は、図２（ａ）におけるＺ１部に対応させた一部破断概略拡大縦断面図である。
【図８】（ａ）、（ｂ）は、いずれも図７（ａ）におけるＺ２部に対応させた一部破断概略拡大縦断面図、（ｃ）は、図７（ａ）におけるＺ３部に対応させた一部破断概略拡大縦断面図である。
【図９】（ａ）は、図６におけるＹ４−Ｙ４線矢視に対応させた一部破断概略拡大縦断面図、（ｂ）は、（ａ）に対応させて他の状態を示す一部破断概略拡大縦断面図、（ｃ）、（ｄ）は、いずれも図７（ａ）におけるＺ４部に対応させた一部破断概略拡大縦断面図である。
【図１０】本発明の他の実施形態に係る収納テーブル装置を模式的に示し、図１（ｄ）に対応させた概略斜視図である。
【発明を実施するための形態】
【００１０】
以下に本発明の実施の形態について、図面に基づいて説明する。
なお、一部の図では、他図に付している詳細な符号の一部を省略している。
また、以下の各実施形態では、収納テーブル装置が壁に設置された状態において、壁面側を後方、壁面に向く側を背面（後面）とし、その逆をそれぞれ前方、前面として説明する。
【００１１】
図１〜図９は、第１実施形態に係る収納テーブル装置の一例について説明するための概念的な説明図である。
本実施形態では、テーブル５０を備えた収納テーブル装置１として、物干し機能を更に備えた物干し装置１を例示している。
この物干し装置１は、図１及び図３に示すように、住居等の内壁を構成する壁材等からなる壁９に設置された状態で上下に長尺の収納本体としての本体部１０を備えている。
この本体部１０の上端部には、上段扉部２０及び上段竿体３０を有した上段ユニット２が回動自在に連結されている。また、この本体部１０の下端部には、収納テーブル装置を構成する収納テーブルユニットとしての下段扉部（扉体）４０及びテーブル５０を有した下段ユニット４が回動自在に連結されている。
なお、以下では、図１（ａ）及び図３（ａ）に示すように、上下段ユニット２，４が本体部１０に沿うように折り畳まれた状態を、これらの閉位置、各扉部２０，４０の閉位置、並びに上段竿体３０及びテーブル５０の収納位置として説明する。また、図１（ｄ）及び図３（ｂ）に示すように、上下段ユニット２，４が本体部１０の前面から前方に突出した状態を、これらの開放位置、各扉部２０，４０の開放位置、上段竿体３０の物干し位置、及びテーブル５０の使用位置として説明する。
【００１２】
本体部１０は、図１（ｄ）、図２（ｂ）及び図３に示すように、壁９に沿うように配される上下に長尺で正面視して略矩形状とされた背板部１１を備えている。この背板部１１の上端及び下端には、図３に示すように、前方に突出する上片部１２及び下片部１４がそれぞれに設けられている（図５（ａ）及び図７（ａ）も参照）。また、この背板部１１の左右両側部には、図４に示すように、前方に突出する側壁部１３，１３がそれぞれに設けられている。これら背板部１１、上片部１２、下片部１４及び左右の側壁部１３，１３によって前方に向けて開口する収納空間が形成される。
これら左右の側壁部１３，１３の前端縁には、図４に示すように、内方側（当該本体部１０の幅方向中心側）に向けて突出するガイド片１３ａ，１３ａが上下の概ね全長に亘ってそれぞれに形成されている。背板部１１の左右両側端部、左右の側壁部１３，１３及び各ガイド片１３ａ，１３ａによって、内方側に向けて開口する断面略コ字状（略Ｕ字状）のガイド溝が当該本体部１０の左右両側部において上下方向に沿ってそれぞれに形成される。このガイド溝には、上段ユニット２の後記する支持アーム３５の一端部３７（図４（ｂ）及び図５参照）が係合し、このガイド溝が支持アーム３５の一端部３７の上下方向に沿う移動をガイドする案内部を構成する。
【００１３】
上記各ガイド溝の上側部位（上記案内部としてのガイド溝の上端部近傍部位）には、図２（ｂ）及び図４（ａ）に示すように、支持アーム３５の一端部３７を保持するアーム保持部としての保持金具１５，１５がそれぞれに設けられている。
この保持金具１５は、図５に示すように、側面視して上方に向けて開口する略Ｌ字状の部位を有した金具とされている。図例では、この保持金具１５は、本体部１０の背板部１１に固着される固定片部１５ａと、この固定片部１５ａから前方に屈曲されて側壁部１３の内側面に沿うように連成された連結片部１５ｂとを備えている。また、この連結片部１５ｂの前端に上記ガイド溝を前後に略二分するように略垂直に設けられた垂直片部１５ｃと、この垂直片部１５ｃの下端に連成された傾斜片部１５ｄとを備え、これらによって上方に向けて開口するアーム保持部を形成している。また、この傾斜片部１５ｄの下端には、ガイド片１３ａの後面に沿うように当接するガイド当接片部１５ｅが連成されている。傾斜片部１５ｄは、このガイド当接片部１５ｅの上端、つまりは、ガイド片１３ａの後面から斜め後上方に傾斜した形状とされている。
【００１４】
なお、この保持金具１５の本体部１０への固定は、溶接やかしめ、接着等によって固定するようにしてもよく、ネジ等の固定止具を用いて固定するようにしてもよい。また、図例では、保持金具１５の略Ｌ字状の垂直片部１５ｃ及び傾斜片部１５ｄの変形を防止する観点や固定部の前面側への露出を防止する観点等から、固定片部１５ａ及び連結片部１５ｂを備えたものを例示しているが、このようなものに限られない。例えば、これら固定片部１５ａ及び連結片部１５ｂを設けずに、ガイド当接片部１５ｅを本体部への固定部としてもよい。さらには、このような本体部１０とは別体とされた保持金具１５を設ける態様に代えて、本体部１０の背板部１１や側壁部１３等を切り起こし加工等することで、上記のような形状のアーム保持部を本体部１０に一体的に設ける態様としてもよい。
【００１５】
本体部１０の背板部１１には、図２（ｂ）に示すように、当該本体部１０の幅方向略中心を通る鉛直線上に沿って、上下の複数箇所に固定部１１ａ，１１ｂが設けられている。
図例では、これら固定部は、本体部１０の上端部近傍部位（上端側）に設けられた位置決め孔１１ａと、略中間部位（下端側）に設けられた止具挿通孔１１ｂとされている。
位置決め孔１１ａは、下部側が木ねじ等の固定止具の頭部の挿通が可能な大径部とされ、上部側が固定止具の締め付けが可能な小径部とされたダルマ孔状とされている。
止具挿通孔１１ｂは、固定止具の締め付けが可能な丸孔状または幅方向（当該本体部１０の幅方向）に長径の長孔状とされている。
また、図例では、背板部１１の上端部近傍部位及び下端部近傍部位のそれぞれに上記鉛直線を挟んで左右のそれぞれ略対象部位に上記同様の止具挿通孔１１ｂを設けている（図２（ａ）及び図７（ｂ）も参照）。
【００１６】
これら固定部１１ａ，１１ｂを用いて、当該物干し装置１を壁９に対して固定する際には、壁９の壁下地を構成する間柱や柱、胴縁などの木軸が壁９を構成する壁材の背面側に配された位置に固定するようにしてもよい。この際、当該物干し装置１を取り付ける床面からの高さ位置に応じて、位置決め孔１１ａが位置付けされる位置に、固定止具をまず仮止めし、その固定止具の頭部に位置決め孔１１ａの大径部を挿通させて物干し装置１を壁９に対して仮保持させる。つまり、位置決め孔１１ａの大径部を介して固定止具を挿通させ、物干し装置１を手放すことで、位置決め孔１１ａの小径部が固定止具に引っ掛かり、この固定止具によって物干し装置１が壁９の手前において宙吊り状態となる。そして、本体部１０の上下が垂直となるように位置決めし、中間部位等の止具挿通孔１１ｂに固定止具を仮止めし、さらに各部位の固定止具を締め付けることで、当該物干し装置１を壁９に対して取り付けるようにしてもよい。
なお、上記のように当該物干し装置１を壁９に取り付ける際には、必要に応じて後記する上下段ユニット２，４を開放位置として作業するようにしてもよい。
また、上記木軸等が壁材の背面側に配されていない箇所において、壁９に当該物干し装置１を施工する際には、ボルト等の締め付けに伴いパラシュート状に壁材の背面側において拡開するアンカーを有したボードアンカーなどの固定止具を用いるようにしてもよい。
【００１７】
上記のように、本実施形態では、物干し装置１の本体部１０を、上下に長尺のものとし、上下方向に沿って複数箇所に壁９に対する固定部１１ａ，１１ｂを有したものとしているので、施工性を向上させることができる。つまり、これら上下方向に沿って複数箇所に設けられた固定部１１ａ，１１ｂを用いて固定することができるので、上下に長尺に形成されていることと相俟って、水平方向の位置ズレ等が生じ難く、施工性を向上させることができる。また、一本の木軸を取付下地とすることもでき、この場合は、複数本の間柱等の木軸を取付下地として探す必要がなく、壁材の背面に木軸等が配設された壁構造とされた壁を取付対象とする場合には特に施工性を向上させることができる。
また、本実施形態では、上下方向に沿って複数箇所に設けられた固定部のうちの最上段のものを、ダルマ孔状の位置決め孔１１ａとしている。従って、位置決め用の最上段の固定止具を仮止めし、この位置決め用の固定止具を位置決め孔１１ａに挿通させて物干し装置１を仮保持させることができるので、本体部１０の位置決めが容易となり、より施工性を向上させることができる。
【００１８】
本体部１０の背板部１１の略中央部には、図１（ｃ）、（ｄ）に示すように、下段ユニット４の後記するテーブル５０の他端部を着脱自在に係止する係止部１６が設けられている。
この係止部１６は、図９（ｃ）、（ｄ）に示すように、本実施形態では、背板部１１を切り起こし加工等することで形成されており、前方に向けて突出するように形成されている。図例では、係止部１６は、背板部１１に連成された略水平状の支持片部１６ａと、この支持片部１６ａの前端から上方に向けて突出し、上端が後方に向けて屈曲された係止爪片部１６ｂとを有している。なお、係止部１６を切り起こし加工等によって背板部１１に一体的に形成する態様に代えて、上記したような形状の金具を背板部１１に固定して係止部としてもよい。
本体部１０の左右の側壁部１３，１３の各上端部には、上段ユニット２の回動支点となる上段回動軸３が挿通される軸挿通孔１３ｂ，１３ｂがそれぞれに設けられている（図４（ａ）参照）。
本体部１０の下端部には、下段ユニット４の下段扉部４０の回動支点となる下段回動軸５を支持する軸受金具１７が設けられている（図７も参照）。この軸受金具１７の詳細については後述する。
【００１９】
なお、本体部１０は、ステンレスや鋼板等の金属板を折り曲げ加工やプレス加工、切削加工等することによって形成するようにしてもよい。本実施形態では、後記するように下段ユニット４の閉位置を保持する機構の一例としてのプッシュオープン式ラッチとして、マグネットラッチを採用し、本体部１０の背板部１１をこれのラッチ受けとして機能させているため、磁石の吸着が可能な金属製としているがこれに限られない。この本体部１０を、硬質の合成樹脂系材料から形成するようにしてもよく、この場合には、本体部１０の背板部１１等の適所にプッシュオープン式ラッチのラッチ受け（ラッチ係合部、マグネットラッチの吸着部（磁着部））を設けるようにしてもよい。
また、図１（ｃ）、（ｄ）及び図２（ｂ）において、符号１１ｃは、当該物干し装置１の使用説明や注意書き等を記載したシールで、このシールは、ＰＥＴ（ポリエチレンテレフタレート）等の樹脂シールとされている。このシール１１ｃが貼着された部位に後記するマグネットラッチ４８の出没部（ロッド部）４８ａ（図７（ａ）参照）が当接する。このような態様とすることで、マグネットラッチ４８との接触による背板部１１の傷付きや塗装の剥離等を、違和感を与えることなく防止することができる。
【００２０】
上段ユニット２は、図１（ｂ）及び図２（ｂ）に示すように、複数本（図例では、二本、一対）の上段竿体３０，３０と、複数本（図例では、二本、一対）の支持アーム３５，３５とを備えている。このように複数本の上段竿体３０，３０を設けることで、これらを利用して比較的に多くの洗濯物等を干すことができる。
上段竿体３０は、本体部１０の上端部に基端部が連結されるとともに、本体部１０に沿うように収納される収納位置とこの収納位置から基端部を回動支点として回動されて前方に突出した状態で保持される物干し位置とに変位自在とされている。
この上段竿体３０は、収納位置では、図３（ｂ）に示すように、上段竿体３０の長手方向が本体部１０の上下方向に沿うように基端部から垂れ下がるように収納され、その先端部が本体部１０の下端部近傍に位置する。一方、物干し位置では、本体部１０の上端部から前方に向けて突出し、その基端部及び先端部が略同高さに位置し、当該上段竿体３０が略水平に保持される。図例では、上段竿体３０は、物干し位置において、当該上段竿体３０の先端部が基端部よりも僅かに上方に位置するように斜め前上方に向けて傾斜した状態で保持される構造とされている。この上段竿体３０の物干し位置における傾斜角度は、無負荷の状態（洗濯物等が掛けられていない状態）で、水平面に対して１度〜５度程度としてもよい。また、この傾斜角度は、上段竿体３０の撓みを考慮して洗濯物等が掛けられた際に前後に洗濯物等が滑らない程度としてもよい。
【００２１】
この上段竿体３０は、本実施形態では、棒状に形成されており、図４（ａ）及び図５（ａ）に示すように、その基端部に設けられた軸挿通孔３１に上段回動軸３が挿通されて本体部１０に対して回動自在に連結されている。この上段回動軸３は、本体部１０の上端部において幅方向に架け渡されるように設けられており、その両端部が本体部１０の左右の側壁部１３，１３の各上端部に設けられた軸挿通孔１３ｂ，１３ｂにそれぞれ挿通されて支持されている。
また、本実施形態では、上段竿体３０は、図４（ａ）に示すように、中空とされており、断面略矩形状とされている。このように、上段竿体３０を中空のものとすることで、軽量化を図ることができる。
【００２２】
この上段竿体３０は、アルミニウム等の金属系材料から例えば、押出成型によって形成されており、図３（ｂ）及び図７（ｂ）に示すように、その先端部には、金属製または樹脂製のキャップ３２が取り付けられている。このキャップ３２は、蓄光材料を含んだものとしたり、蓄光塗料を塗装したりしたものとしてもよい。これによれば、物干し位置とされた上段竿体３０の夜間等における視認性を向上させることができ、安全性を向上させることができる。
なお、この上段竿体３０は、金属系材料から形成されたものに限られず、硬質の合成樹脂系材料から形成するようにしてもよい。
また、この上段竿体３０の物干し位置における上面側部に、長手方向に沿って合成樹脂系材料やゴム等のエラストマー系材料、または布材等で形成された滑り止め部を設けるようにしてもよい。
さらに、この上段竿体３０の断面形状は、図例のように断面略矩形状とされたものに限られず、上記上面側部が多面形状とされたものや凸湾曲形状とされたもの、半円形状とされたものとしてもよい。つまり、洗濯物等が掛けられるハンガー等のフック部の形状に合わせて、上面側部が上方（物干し位置における上方）に盛り上がる山形状の断面形状としてもよい。
【００２３】
また、本実施形態では、一対の上段竿体３０，３０は、本体部１０の上端部において幅方向に沿って間隔を空けてそれぞれの基端部が本体部１０に連結されている。つまり、上記のように本体部１０の幅方向に架け渡された上段回動軸３が一対の上段竿体３０，３０の基端部のそれぞれを串刺し状に貫通し、これら一対の上段竿体３０，３０が本体部１０に対して回動自在に連結されている。
これら一対の上段竿体３０，３０は、図２（ｃ）及び図３（ｂ）に示すように、これら及び後記する下段ユニット４が開放位置（物干し位置）において、下段ユニット４の先端部（下段扉部４０の先端部４２）よりも前方に向けて突出するように形成されている。これら一対の上段竿体３０，３０における下段ユニット４の先端部よりも前方に突出した部位が先端側物干し部となる。つまり、これら上下段ユニット２，４が開放位置において、これら一対の上段竿体３０，３０の本体部１０からの突出寸法は、下段ユニット４の本体部１０からの突出寸法よりも大きく、下段ユニット４の突出寸法に、先端側物干し部の長さ寸法を加えた寸法とされている。
なお、各上段竿体３０の寸法は、例えば幅寸法を１０ｍｍ〜３０ｍｍ程度、厚さ寸法を１０ｍｍ〜３０ｍｍ程度、長さ寸法を７００ｍｍ〜９００ｍｍ程度としてもよい。また、上記先端側物干し部の長さ寸法は、３５０ｍｍ〜４５０ｍｍ程度としてもよい。つまり、上下段ユニット２，４が開放位置において、下段ユニット４の本体部１０からの突出寸法を、上段ユニット２の本体部１０からの突出寸法の半分程度としてもよい。
【００２４】
また、本実施形態では、これら一対の上段竿体３０，３０の基端側には、これらが収納位置において本体部１０の前面側上部を覆う上部カバー部としての上段扉部２０が設けられている。この上段扉部２０は、一対の上段竿体３０，３０の基端側部位を互いに連結する竿体連結部材としても機能し、これら一対の上段竿体３０，３０の先側部位は、互いに非連結とされている。
上段扉部２０は、上段ユニット２が閉位置とされた状態において、一対の上段竿体３０，３０の基端側部位の前面及び本体部１０の前面側上部を覆うように形成されており、図２（ａ）に示すように、正面視して略方形状とされている。この上段扉部２０によって覆われた基端側部位の先側が一対の上段竿体３０，３０の実質的な物干し部（竿体）となる。
また、この上段扉部２０の閉位置における前面（開放位置における上面）は、鏡２１とされている。つまり、この上段扉部２０は、閉位置とされた状態で、前面に鏡２１を有するとともに、本体部１０の前面側上部に配設される。
図例では、上段扉部２０は、上記前面の略全面に亘って鏡２１を設けた例としている。
【００２５】
この上段扉部２０は、図４（ａ）及び図５（ａ）に示すように、鏡２１が前面側に取り付けられる平板状の前板部、この前板部の周囲に設けられた上片部、左右の側片部２３，２３及び下片部を有しており、例えば、鋼板等を折り曲げ加工して形成されている。これらによって閉位置における後方に開口する収納空間が形成され、一対の上段竿体３０，３０の基端側部位の一部が覆われるように収納されて固定されている。
この上段扉部２０の左右の側片部２３，２３の上端部（閉位置における上端部）には、上段回動軸３が挿通される軸挿通孔２３ａ，２３ａがそれぞれに形成されている。
また、上段扉部２０の上記上片部及び下片部には、鏡２１の上下端部をそれぞれに固定支持し、当該上段扉部２０の上端及び下端となる鏡取付金具２２，２４がボルト等の固定止具によって固定されている。なお、このような固定に加えて、鏡２１を、上段扉部２０の上記前板部に接着剤や粘着テープなどの粘着材によって固定するようにしてもよい。
【００２６】
この上段扉部２０の上端２２は、図３（ａ）に示すように、閉位置とされた状態で、本体部１０の上片部１２の手前側に位置するように、この上片部１２と略同高さ位置に配設される。一方、この上段扉部２０の下端２４は、閉位置とされた状態で、閉位置とされた後記する下段ユニット４の下段扉部４０の先端部（上端部）４２に近接対面するようにして、この先端部４２に対向するように位置づけられる。
このような上段扉部２０を設けることで、例えば、本体部１０の上下の全長に亘ってその前面側を下段扉部４０によって開閉自在に覆う態様とする場合と比べて、下段扉部４０の上下の長さ（閉状態における上下の長さ）寸法を短くすることができ、使い勝手が良い。
【００２７】
また、上段扉部２０は、図３及び図４（ａ）に示すように、当該上段扉部２０の左右の側片部２３，２３と本体部１０の左右の側壁部１３，１３との間に幅方向（本体部１０の幅方向）に段差が形成されるように、その幅寸法が、本体部１０の幅寸法よりも大きく形成されている。また、上段扉部２０の左右の側片部２３，２３は、閉位置において壁９の手前側に浮くように位置するように、本体部１０の左右の側壁部１３，１３の一部を側面視して覆うように形成されている。
上段扉部２０をこのような構造とすることで、閉位置とされた状態では、手前側から見た際に当該物干し装置１の上段部の厚さ寸法を薄く見せることができ、見栄えが良い。
なお、上段扉部２０の高さ寸法（上段竿体３０の長手方向に沿う寸法）は、図２（ｃ）及び図３（ｂ）に示すように、開放位置とされた状態で、その先端（下端２４）が、開放位置とされた状態の下段ユニット４の先端部４２よりも後方に位置するようにしてもよい。例えば、上段竿体３０が上記程度の長さ寸法とされたものでは、その基端側部位の前面を覆うように、上段扉部２０の高さ寸法を、２５０ｍｍ〜３５０ｍｍ程度としてもよい。
また、図例では、上段竿体３０の基端部を上段回動軸３に回動自在に連結した例を示しているが、このような態様に限られず、例えば、上段扉部２０の高さ方向の途中部位や先端部（下端２４）近傍部位に上段竿体３０の基端部を連結固定する態様としてもよい。つまりは、上段竿体の基端部を、上段扉部を介して本体部に対して回動自在に連結する態様としてもよい。
【００２８】
支持アーム３５は、図３（ｂ）及び図５（ａ）に示すように、物干し位置とされた上段竿体３０の長手方向途中部位及び本体部１０の上下方向途中部位に、当該支持アーム３５の長手方向の各端部がそれぞれに配設されて物干し位置とされた上段竿体３０を支持する。このような支持アーム３５を設けることで、本体部１０、上段竿体３０及び当該支持アーム３５によってトラス状構造となり、片持ち状に物干し位置とされる上段竿体３０を強固に保持することができる。
この支持アーム３５の長手方向の一端部３７には、図４（ｂ）及び図５（ｂ）に示すように、外方側（本体部１０の幅方向外方側）に向けて突出する突起３７ａが設けられている。この突起３７ａには、ローラー３８がこの突起３７ａ廻りに回動自在に取り付けられている。この支持アーム３５のローラー３８が係合突起となり、これが本体部１０の上記ガイド溝に設けられた保持金具１５に係合保持される。なお、このローラー３８は、回動性や本体部１０の上記ガイド溝との摺動性を高めるために、ＰＯＭ（ポリアセタール）などの合成樹脂系材料に油を含有させた含油ＰＯＭなどの含油プラスチックから形成されたものとしてもよい。
【００２９】
一方、この支持アーム３５の長手方向の他端部には、図４（ｂ）及び図５（ａ）に示すように、上段竿体３０の長手方向の途中部位に設けられた軸孔部３３に回動自在に連結される支持アーム回動軸３６が内方側に向けて突出するように設けられている。この支持アーム回動軸３６を介して、当該支持アーム３５が上段竿体３０の外方側側部に付設されるように、上段竿体３０に対して回動自在に連結されている。
これら各支持アーム３５は、収納位置とされた上段竿体３０の物干し位置への変位動作に連動して、当該支持アーム３５の一端部３７のローラー３８が本体部１０の上記ガイド溝に沿って上方に移動し、保持金具１５に係合保持される構成とされている。
この支持アーム３５の一端部３７のローラー３８が、本体部１０の保持金具１５に保持されて、上段竿体３０が物干し位置とされた状態において、当該支持アーム３５と上段竿体３０とのなす連結角は、２５度〜６０度程度の所定角度となるようにしてもよい。この連結角は、支持アーム３５によって上段竿体３０を斜め後下方から支持可能なようなものとすればよい。また、この連結角に対応させて、当該支持アーム３５の長さ寸法、並びに上段竿体３０の回動支点（上段回動軸３）から、上段竿体３０と支持アーム３５との連結部（支持アーム回動軸３６）までの長さ寸法及び保持金具１５までの高さ寸法を設定するようにしてもよい。図例では、上段扉部２０によって前面が覆われた上段竿体３０の基端側部位に上段竿体３０と支持アーム３５との連結部を設けている。これにより、上記連結部が目立ち難くなり、見栄えを向上させることができる。
【００３０】
また、この支持アーム３５の他端部には、ばね収容凹所が形成されており、このばね収容凹所には、例えば、ねじりコイルばね（トーションバネ）等の付勢部材３４（図４（ｂ）及び図５（ａ）参照）の一端部が収納される。この付勢部材３４は、そのコイル部に支持アーム回動軸３６が挿通され、他端部が上段竿体３０に形成された係止孔等に係止されており、上記連結角を大きくする方向に支持アーム３５を付勢している。つまり、支持アーム３５の一端部３７のローラー３８を手前側に向けて押し付ける方向に付勢している。
なお、この支持アーム３５は、アルミニウム等の金属系材料から例えば、鋳造成型（ダイキャスト）されたものとしてもよい。または、硬質の合成樹脂系材料から形成されたものとしてもよい。また、図５（ａ）に示すように、低コスト化や軽量化を図る観点から適宜、肉盗み状の凹部を内方側の面に設けたものとしてもよい。
【００３１】
また、本実施形態では、上記のように各上段竿体３０，３０に他端部が回動自在に連結された各支持アーム３５，３５は、図２（ｂ）及び図５（ａ）に示すように、その他端部側部位同士がアーム連結部材３９を介して互いに連結されている。支持アーム３５の内方側面部には、内方側に向けて開口した凹部を有した連結部材取付部が形成されており、この凹部に、アーム連結部材３９の端部が嵌め込まれ、その端部が固定止具によって固定されている。
このアーム連結部材３９は、本体部１０の幅方向に長尺の平板状とされている。なお、このアーム連結部材３９は、上記同様の金属系材料や硬質の合成樹脂系材料で形成されたものとしてもよい。
【００３２】
上記構成とされた上段ユニット２は、図３（ｂ）及び図５（ａ）に示すように、一対の上段竿体３０，３０及び上段扉部２０が、上段回動軸３を回動支点として回動されて、閉位置と開放位置とに変位自在とされている。また、この変位動作に連動して、各上段竿体３０，３０のそれぞれに連結された各支持アーム３５，３５が移動する。
【００３３】
閉位置とされた上段ユニット２を開放位置とする際には、一方の上段竿体３０，３０の先側部位や上段扉部２０等を把持し、この先側部位を上昇させるようにして、上段回動軸３を回動支点として斜め前上方に向けて回動させる。この回動動作に伴って、上段竿体３０に他端部が連結された支持アーム３５は、その他端部の支持アーム回動軸３６を回動支点として上段竿体３０に対して相対的に回動しながら、一端部３７のローラー３８が、本体部１０の上記ガイド溝に沿って上方に向けて移動する。この際、支持アーム３５は、付勢部材３４によって手前側に向けて回動する方向に付勢されているので、図５（ｂ）に示すように、そのローラー３８が上記ガイド溝の手前側の内側面（ガイド片１３ａの後面）に沿うようにして移動する。上段竿体３０が略水平とされた状態から少許、さらに先側部位を上昇させれば、支持アーム３５のローラー３８が保持金具１５を乗り越えるようにして上方に移動する。この際、保持金具１５の傾斜片部１５ｄは、上記のように斜め後上方に傾斜しているので、支持アーム３５のローラー３８がスムーズに保持金具１５を乗り越えることができる。
【００３４】
上記のように保持金具１５をローラー３８が乗り越えれば、上記のように付勢部材３４によって手前側に向けて回動する方向に支持アーム３５が付勢されているので、そのローラー３８が上記ガイド溝の手前側の内側面となるガイド片１３ａの後面に向けて移動する。この状態で、上段竿体３０の先側部位を降下させる、または手放すことで、上記のように付勢された支持アーム３５は、そのローラー３８が保持金具１５に係合し、保持される。これにより、当該上段ユニット２が開放位置となり、上段扉部２０が開放位置、一対の上段竿体３０，３０が物干し位置となる（図１（ｂ）、（ｄ）及び図２（ｂ）、（ｃ）も参照）。
【００３５】
一方、開放位置とされた上段ユニット２を閉位置とする際には、一方の上段竿体３０の先側部位や上段扉部２０等を少許、上昇させる。これに伴い、上段竿体３０に連結された支持アーム３５が上方へ少許、移動し、支持アーム３５のローラー３８と本体部１０の保持金具１５との係合状態が解除される。この状態で、一方の支持アーム３５またはアーム連結部材３９を後方に向けて押すように移動させ、ローラー３８が保持金具１５と上下で重合しない位置まで支持アーム３５のローラー３８をガイド溝内において後方に移動させる。この状態で、上段竿体３０の先側部位等を降下させるようにして、当該上段竿体３０を斜め後下方に向けて回動させる。この回動動作に伴って、上記とは逆に、支持アーム３５は、その他端部の支持アーム回動軸３６を回動支点として上段竿体３０に対して相対的に回動しながら、一端部３７のローラー３８が、本体部１０の上記ガイド溝に沿って下方に向けて移動する。これにより、当該上段ユニット２が閉位置となり、上段扉部２０が閉位置、一対の上段竿体３０，３０が収納位置となる（図１（ａ）、（ｃ）、図２（ａ）、図４も参照）。
また、この閉位置では、一対の支持アーム３５，３５は、一対の上段竿体３０，３０と同様、その側部において、垂れ下がるように本体部１０に収納される（図４（ｂ）参照）。
【００３６】
上記のように、上段竿体３０の回動に連動して、支持アーム３５が移動し、その一端部３７のローラー３８が本体部１０の保持金具１５に保持されて、支持アーム３５が上段竿体３０の支持状態となり、上段竿体３０が物干し位置とされるので、使い勝手がよい。一方、不使用時には、収納位置とすることで、一対の上段竿体３０，３０及び支持アーム３５，３５が本体部１０に収納されるので、これらが邪魔になるようなことを防止できる。
また、本実施形態では、上段竿体３０を複数本とし、これら複数本の上段竿体３０，３０の基端部側部位を上段扉部２０によって連結している。従って、いずれかの上段竿体３０を物干し位置（または収納位置）に向けて回動させれば、その他の上段竿体も連動して、物干し位置（または収納位置）へと回動されるので、使い勝手が良い。また、各上段竿体３０，３０に掛けられた洗濯物等の荷重にバラつきがあるような場合や、いずれかの上段竿体３０を把持して昇降させる場合にも、上段竿体３０，３０同士が捩れるようなことを防止することもできる。
さらに、上段扉部２０によって連結された基端部側部位の先側は、互いに非連結とされているので、物干し位置では、本体部１０から前方に向けて複数本の上段竿体３０，３０が、言わばフォーク状に突出したような状態となる。これにより、複数のハンガー等を各上段竿体３０，３０に掛けた場合にも、手前側に向けて抜き取るようにして一度の動作で洗濯物等を取り込むことができ、使い勝手が良い。
【００３７】
さらにまた、本実施形態では、複数本の上段竿体３０，３０のそれぞれに連結された支持アーム３５，３５同士を連結するアーム連結部材３９を備えているので、複数本の上段竿体３０，３０同士の捩れ等をより効果的に防止できる。また、上段竿体３０の物干し位置への変位動作に連動して支持アーム３５のローラー３８が本体部１０の保持金具１５に保持される場合において、その解除時に手動でローラー３８を保持金具１５と重合しない位置まで移動させる必要がある場合にも、使い勝手が良い。つまり、いずれかの支持アーム３５のローラー３８を保持金具１５と重合しない位置まで移動させれば、それに連動して、その他の支持アーム３５のローラー３８も保持金具１５と重合しない位置まで移動するので、使い勝手が良い。
【００３８】
なお、本体部１０の背板部１１の前面に、上段竿体３０，３０の先端部等が弾性的に接触する制振ゴムを設けるようにしてもよい。
また、上段竿体３０の途中部位と本体部１０の途中部位とに、長手方向の各端部がそれぞれに配設されて物干し位置とされた上段竿体３０を支持する支持アーム３５としては、図例のような構造に限られない。例えば、支持アームの一端部がガイドされるガイド溝に代えて、長孔状の案内部を本体部に設けるようにしてもよい。この場合、保持金具を設ける態様に代えて、長孔の上端部を屈曲させるようにして保持部を形成するようにしてもよい。
さらに、上記した例では、支持アームを手前側に付勢する付勢部材として、支持アームと上段竿体との連結部にばね部材を設けた例を示しているが、本体部の案内部の保持部に向けて支持アームの一端部を吸着する磁石を付勢部材として設けるようにしてもよい。この場合、支持アームを後方側に付勢するばね部材を支持アームと上段竿体との連結部に設けるようにしてもよい。これによれば、支持アームの一端部を保持部から脱離させる際に、手動によらず、ばね部材の付勢によって脱離させることができる。または、支持アームを手前側に付勢する付勢部材を設けずに、後方側に付勢する付勢部材を設ける態様としてもよい。この場合は、物干し位置とする際に、手動により支持アームの一端部を本体部の案内部の保持部に係合させるようにしてもよい。若しくは、上記のような磁石を保持部に設け、支持アームの一端部を吸着し、係合させる態様としてもよい。
【００３９】
さらにまた、上記した例では、複数本の支持アームを連結するアーム連結部材を設けた態様としているが、このようなアーム連結部材を設けない態様としてもよい。
また、上段竿体の変位動作に連動して支持アームの一端部が本体部の案内部に沿って上下に移動し、支持アームの他端部が上段竿体に対して回動する構造とされたものに限られない。例えば、これとは逆に、支持アームの一端部を本体部に回動自在に連結し、支持アームの他端部が上段竿体の長手方向に沿ってスライド移動する構造とされたものとしてもよい。または、支持アームの長手方向の一端部を、一方のみに回動自在に連結し、他方には、他端部を係止する係止部を設ける態様としてもよい。さらには、このような支持アームを設けずに、上段竿体の物干し位置を支持する他の支持手段を設けるようにしてもよい。
【００４０】
下段ユニット４は、収納位置とされた一対の上段竿体３０，３０の先側部位（上記実質的な竿体）及び本体部１０の前面側を開閉自在に覆う下段扉部４０と、この下段扉部４０と本体部１０との間に収納可能及び保持可能とされたテーブル５０とを備えている。このような下段扉部４０を設けることで、収納位置とされた一対の上段竿体３０，３０の前面側を当該下段扉部４０によって覆うことができ、見栄えを向上させることができる。
この下段扉部４０は、本体部１０の前面側下部を覆う閉位置とこの前面側下部を開放させる開放位置とに保持される。
また、下段扉部４０は、本実施形態では、本体部１０の前面側下部を開閉自在に覆う扉として機能するとともに、後記するように物干し部を有しており、上段竿体３０，３０の下方に配設される下段竿体としても機能する。このように、一対の上段竿体３０，３０の下方に下段竿体としての下段扉部４０を設けることで、一対の上段竿体３０，３０に加えて、下段扉部４０を利用して洗濯物等を干すことができるので、比較的に多くの洗濯物等を干すことができる。
【００４１】
また、この下段扉部４０は、本実施形態では、本体部１０の下端部に基端部（下端部）が回動自在に連結されており、本体部１０の前面側を覆う閉位置と先端側（上端側）を本体部１０の前面から前方に突出させた開放位置（物干し位置）とに保持される。
このように、下段扉部４０は、本体部１０の下端部に基端部が回動自在に連結されているので、その下端部を回動支点として、手前側に向けて倒すようにして開放させることができ、使い勝手が良い。また、例えば、幅方向一側部を回動支点として開放されるものや幅方向へスライドさせることで開放されるものと比べて、上段竿体３０，３０を物干し位置として利用する際に当該下段扉部４０が正面側から目立ち難くなり、見栄えを向上させることができる。
【００４２】
また、本実施形態では、当該下段扉部４０及び一対の上段竿体３０，３０を、物干し位置と閉位置（収納位置）とに変位自在とされたものとしているので、一方を閉位置（収納位置）とすることで、他方を選択的に利用することもできる（図１（ｂ）、（ｃ）参照）。つまり、この下段扉部４０は、図１（ｂ）に示すように、上段ユニット２が開放位置において、本体部１０の前面側下部を覆う閉位置に保持可能とされている。この状態では、物干し位置とされた一対の上段竿体３０，３０の下方側のスペースをより効率的に利用でき、例えばシーツ等の長尺で大きい洗濯物等を下段扉部４０に接触させることなく干すこともできる。一方、この下段扉部４０は、図１（ｃ）に示すように、上段ユニット２が閉位置において、前面から前方に突出させた開放位置（物干し位置）に保持可能とされている。この状態では、下段扉部４０を利用して洗濯物等を干すことができるとともに、下段扉部４０の上方側がすっきりとした印象となり、見栄えが良い。
【００４３】
このように、上下に物干し部を有した当該物干し装置１は、上下の高さ寸法を８００ｍｍ〜１０００ｍｍ程度とし、その下端部が床面から７５０ｍｍ程度以上の高さに位置するように当該物干し装置１を設置するようにしてもよい。これによれば、下段扉部４０に干された洗濯物等が床面に接触し難いものとなる。また、これによれば、物干し位置とされた上段竿体３０が、成人の手を伸ばして作業できる程度の高さ（１８００ｍｍ前後）となる。また、物干し位置とされた下段扉部４０が、成人の腰高さ程度（９００ｍｍ前後）となり、上下段ユニット２，４の開閉動作や物干し作業などの際に、使い勝手が良い。さらに、後記するように、テーブル５０を鏡台として利用する場合には、成人が立位で有効に利用できるものとなる。
【００４４】
下段扉部４０は、図４（ｂ）及び図７（ａ）に示すように、平板状の前板部４１を有し、この前板部４１の幅方向両側部には、閉位置における後方側（開放位置における上方側）に向けて突出するカバー片部４３，４３がそれぞれに連成されている。また、前板部４１の下端部には、後方側に向けて突出する下片部４４が設けられている。これら前板部４１、カバー片部４３，４３及び下片部４４によって閉位置における後方側に向けて開口する収納空間が形成される。この下段扉部４０の収納空間と、本体部１０の上記収納空間とによって形成される空間に、上記した上段ユニット２の上段竿体３０，３０の先側部位及び支持アーム３５，３５の一端部側部位並びに後記するテーブル５０が収納される。
【００４５】
また、この下段扉部４０は、図３（ａ）及び図４（ｂ）に示すように、当該下段扉部４０の左右のカバー片部４３，４３と本体部１０の左右の側壁部１３，１３との間に幅方向に段差が形成されるように、その幅寸法が、本体部１０の幅寸法よりも大きく形成されている。また、下段扉部４０の左右のカバー片部４３，４３は、上記した上段扉部２０と同様、閉位置において壁９の手前側に浮くように位置するように、本体部１０の左右の側壁部１３，１３の一部を側面視して覆うように形成されている。図例では、これら上段扉部２０の左右の側片部２３，２３及び下段扉部４０の左右のカバー片部４３，４３は、前後方向の幅寸法が略同寸法とされ、閉位置において上下に連なるように形成されている。
下段扉部４０をこのような構造とすることで、閉位置とされた状態では、手前側から見た際に当該物干し装置１の下段部の厚さ寸法を薄く見せることができ、見栄えが良い。
また、下段扉部４０の幅寸法は、図１（ａ）及び図２（ａ）に示すように、上段扉部２０の幅寸法と略同寸法とされており、これら上段扉部２０及び下段扉部４０が閉位置では、これらが上下で連なるような印象となり、見栄えを向上させることができる。このように、本実施形態では、閉位置とされた各扉部２０，４０によって前面側がすっきりとした印象となり、当該物干し装置１をリビングやダイニング、洗面所、脱衣室等の屋内空間に設置した場合にも違和感なく見栄え良く設置することができる。
【００４６】
この下段扉部４０の先端部（上端部）４２は、図３（ａ）に示すように、閉位置とされた状態で、閉位置とされた上段ユニット２の上段扉部２０の下端２４に近接対面するようにして、この下端２４に対向するように位置づけられる。
また、この下段扉部４０は、本実施形態では、下端の基端部を回動支点として、本体部１０の下端部から斜め前上方に傾斜した状態で保持されて開放位置（物干し位置）とされ、その先端部４２と本体部１０とを連結するようにテーブル５０が略水平に保持される。本実施形態では、このテーブル５０によって物干し位置とされた下段扉部４０の先端側の保持がなされる。つまり、下段ユニット４の開放位置では、本体部１０、下段扉部４０及びテーブル５０によってトラス状構造となり、下段扉部４０及びテーブル５０をそれぞれ安定して物干し位置及び使用位置に保持することができる。なお、物干し位置における下段扉部４０と本体部１０とのなす角は、例えば、４０度〜６０度程度としてもよい。
【００４７】
また、下段扉部４０の幅方向両側部のそれぞれに設けられたカバー片部４３，４３の各内方側には、図４（ｂ）及び図６に示すように、突出片部４５，４５がそれぞれに設けられている。これら突出片部４５，４５は、前板部４１の閉位置における後面（開放位置における上面）から後方側（開放位置では上方側）に向けて突出するように形成されている。
換言すれば、当該下段扉部４０の幅方向両側部のそれぞれに突出片部４５，４５を設け、これら突出片部４５，４５の各外方側に当該下段扉部４０の側面化粧面となるカバー片部４３，４３を更に設けている。
【００４８】
これらカバー片部４３，４３及び突出片部４５，４５は、前板部４１の後面にリブ状に、当該下段扉部４０の高さ方向（閉位置における上下方向）に沿って、その略全長に亘って設けられている。
突出片部４５，４５は、下段扉部４０の物干し部を構成し、これら突出片部４５，４５には、ハンガーやピンチハンガーなどの物干し具が引っ掛けられる引掛凹所４５ａが設けられている。このような引掛凹所４５ａを下段扉部４０に設けることで、引掛凹所４５ａにハンガーやピンチハンガーなどの物干し具を引っ掛けることができる。
この引掛凹所４５ａは、閉位置における後方側（開放位置における上方側）に向けて開口するように突出片部４５，４５のそれぞれに設けられている。図例では、各突出片部４５，４５に、上記高さ方向（当該下段扉部４０の基端側から先端側に向かう方向）に沿って間隔を空けて複数（図例では、各５個）の引掛凹所４５ａ，４５ａを設けた例を示している。
また、この引掛凹所４５ａは、図７（ａ）に示すように、下段扉部４０が物干し位置とされた傾斜状態で、その傾斜面に対して鈍角となるように手前側（下段扉部４０の先端側）の凹縁が形成されている。つまり、突出片部４５の突出方向に対して、引掛凹所４５ａの手前側の凹縁が下段扉部４０の先端側に向けて傾斜するように引掛凹所４５ａが形成されている。このような構成とすることで、引掛凹所４５ａに引っ掛けられた物干し具を手前側に抜き取るようにして洗濯物等を取り込む際に、抜き取り易くなり、複数の引掛凹所４５ａに引っ掛けられた物干し具を、一度の動作で抜き取ることもでき、使い勝手が良い。
【００４９】
また、これら突出片部４５，４５は、図３及び図４（ｂ）に示すように、引掛凹所４５ａに物干し具の引っ掛けが可能なように、カバー片部４３，４３よりも閉位置における後方側への突出寸法が大きく形成されている。つまり、突出片部４５は、その突出寸法が側面視して引掛凹所４５ａが露出するようにカバー片部４３の突出寸法よりも大きく形成されている。
上記のように、引掛凹所４５ａを有した突出片部４５の外方側に、カバー片部４３を設けることで、下段扉部４０が閉位置とされた状態において、引掛凹所４５ａが手前側から目立ち難くなり、見栄えを向上させることができる。
【００５０】
また、各突出片部４５,４５に設けられた引掛凹所４５ａ，４５ａは、図３（ｂ）及び図６に示すように、各突出片部４５，４５において、当該下段竿体４０の基端側から先端側に向かう方向で互いに異なる位置となるように形成されている。つまり、各突出片部４５，４５の引掛凹所４５ａ，４５ａは、図３（ｂ）に示すように、側面視して、互いに重合しないように、また、図６に示すように、平面視して、千鳥状となるように設けられている。このような構成とすることで、下段扉部４０の幅寸法を比較的に小さくした場合でも、各突出片部４５，４５の引掛凹所４５ａ，４５ａに引っ掛けられた物干し具等に干された洗濯物同士が干渉することを防止することができる。つまり、下段扉部４０の幅方向両側に効率的に洗濯物等を干すことが可能でありながらも下段扉部４０の幅寸法を効率的に小さくすることができる。
【００５１】
なお、これら各突出片部４５，４５の引掛凹所４５ａ，４５ａの基端側から先端側に向かう方向に沿う間隔は、引掛凹所４５ａ，４５ａに引っ掛けられた物干し具等に干された洗濯物同士が干渉しない程度とすればよい。例えば、一方の突出片部４５ａに形成された引掛凹所４５ａの引掛部となる最深部と、他方の突出片部４５ａに形成された引掛凹所４５ａの引掛部となる最深部との基端側から先端側に向かう方向に沿う間隔が、２０ｍｍ〜５０ｍｍ程度となるようにしてもよい。
また、図例では、各突出片部４５，４５に複数の引掛凹所４５ａ，４５ａをそれぞれに設けた例を示しているが、単一の引掛凹所をそれぞれに設けるようにしてもよい。
さらに、図例では、各突出片部４５，４５の外方側にカバー片部４３，４３を設けた例を示しているが、このようなカバー片部を設けずに、突出片部を下段扉部の側片部としてもよい。
さらにまた、上記のような引掛凹所を物干し部として設ける態様に代えて、下段扉部の前板部の閉位置における後面に後方側に向けて突出するリブを幅方向に設け、このリブに物干し具等を引っ掛けるようにしてもよい。
【００５２】
下段扉部４０の下端部近傍には、図７に示すように、本体部１０の軸受金具１７に回動自在に支持された下段回動軸５が挿通される一対の軸挿通部４９，４９が形成されている。これら軸挿通部４９，４９は、下段扉部４０の前板部４１の下端部近傍の後面に突出するように形成されており、下段回動軸５と下段扉部４０とを連結固定している。また、図７（ｂ）に示すように、上記したカバー片部４３，４３及び突出片部４５，４５並びにその他の前板部４１の後面に形成されたリブにも同様の軸挿通部が形成されている。
軸受金具１７は、本体部１０の背板部１１の下端部近傍に固着されており、図８（ａ）、（ｂ）に示すように、前方に向けて開口するような箱形状とされ、その左右側壁部から斜め前下方に向けて突出された片部に下段回動軸５が回動自在に支持されている。このような構造により、下段扉部４０及びこれに連結固定された下段回動軸５は、図７（ａ）に示すように、本体部１０に対して回動自在に連結されている。
【００５３】
また、この軸受金具１７の両側部には、下段回動軸５に、その回動方向に対して適度な逆トルクを付与するダンパー１９，１９がそれぞれに設けられている。このようなダンパー１９を設けることで、下段扉部４０の開閉動作に伴う騒音や衝撃を緩和することができる。
ダンパー１９としては、例えば、軸受金具１７の側壁部の軸孔に挿通されるとともに、下段回動軸５が内装される円筒軸の外周にコイルばねを設け、この円筒軸の一端部にナットが螺合する雄ねじ部を設けたものとしてもよい。そして、この円筒軸の外周におけるナットと軸受金具１７の上記側壁部との間に、座金を介して下段回動軸５に逆トルクを付与するシリコンリングとＰＯＭリングとからなる押付部材を設けた構造としてもよい。このようなものでは、ナットの締め付けを調整することで、コイルばねの弾性変形を伴い、押付部材による上記側壁部への押付抵抗を調整でき、下段回動軸５に付与される逆トルクの強弱を調整することができる。なお、ダンパー１９としてはこのようなものに限られず、オイル等の粘性抵抗を利用したオイルダンパーとしてもよく、また、いわゆるロータリーダンパーやディスクダンパー等の公知のものが採用可能である。
なお、下段回動軸５と下段扉部４０とを連結固定し、軸受金具１７に対してこれらが回動自在とされた態様に限られず、下段回動軸５に対して、下段扉部４０が回動自在とされた態様としてもよい。この場合は、下段扉部４０の回動方向に対して適度な逆トルクを付与するダンパーを採用するようにすればよい。
【００５４】
また、本体部１０に設けられた軸受金具１７の下部には、下段扉部４０を所定の開放位置に保持する保持部として機能するとともに、下段扉部４０の下片部４４との接触による騒音や衝撃を緩和する制振ゴム１８が設けられている。このような制振ゴム１８を設けることで、ダンパー１９を設けたことと相俟って下段扉部４０の開放動作に伴う騒音や衝撃をより緩和することができる。
制振ゴム１８は、例えば、エチレンプロピレンジエンゴム（ＥＰＤＭ）等からなり、図例では、ブロック状とされており、また、本体部１０の幅方向に沿って間隔を空けて軸受金具１７の下面に複数の制振ゴム１８を設けた例を示している。この制振ゴム１８に、図８（ｂ）に示すように、下段扉部４０の下片部４４の閉位置における後端部が弾性的に接触し、この制振ゴム１８の弾性変形を伴い、下段扉部４０が所定の開放位置に保持される。この所定の開放位置は、図３（ｂ）の二点鎖線で示すように、収納位置から物干し位置に変位する一対の上段竿体３０，３０に接触しない位置で、かつ本体部１０から突出させた開放位置とされている。なお、図例では、側面視において上段竿体３０の先端部と下段扉部４０とが上段竿体３０の移動軌跡の一部において重合するように示されているが、下段扉部４０の上記収納空間内を上段竿体３０の先端部が下段扉部４０に接触することなく移動する構成とされている。
【００５５】
上記所定の開放位置における下段扉部４０と本体部１０（壁９）とのなす角は、物干し位置とされた下段扉部４０と本体部１０とのなす角よりも大きい角度とされ、また、鋭角となるようにすることが好ましく、例えば、７０度〜８５度程度としてもよい。これにより、下段扉部４０の上下の長さ寸法を、収納位置の上段竿体３０，３０の前面側を効率的に覆い得る寸法とできるとともに、上記所定の開放位置における下段扉部４０の先端部４２が、手前側や下方側に大きく突出せず、安全性を向上させることができる。
また、上記所定の開放位置で下段扉部４０が保持されるので、例えば、閉位置における下端部を回動支点として、本体部１０に対して略１８０度開くようなものと比べて、操作性が良く、開放状態における下段扉部４０が目立ち難くなり、見栄えを向上させることができる。
なお、本体部１０の下片部１４は、図３及び図８（ａ）、（ｂ）に示すように、上記のように開閉される下段扉部４０の下片部４４との隙間が、例えば、４ｍｍ以下程度となるように、下段扉部４０の下片部４４を覆うような形状とされている。これにより、下段扉部４０の開閉等がなされる際において、その下端部における指詰め等を防止することができる。
また、制振ゴム１８を設けずに、軸受金具１７の下面を、下段扉部４０の下片部４４の上記後端部が当接されて下段扉部４０を上記所定の開放位置に保持する保持部としてもよい。
【００５６】
下段扉部４０の先端部４２には、図６、図７（ａ）及び図８（ｃ）に示すように、上方に向けて開口するように形成された収納部としての収納ポケット４６が設けられている。この収納ポケット４６は、下段扉部４０の先端部４２において、前板部４１の閉位置における後面（本体部１０側の面）の幅方向略中央部に付設されるように設けられている。このような収納ポケット４６を設けることで、小物等の物品を収納することができる。
この収納ポケット４６の下方側には、下段ユニット４を閉位置に保持するプッシュオープン式ラッチとしてのマグネットラッチ４８が設けられている。このマグネットラッチ４８は、公知のものが採用可能であり、ラッチ本体部から出没する磁石を設けた出没部（ロッド部）４８ａを有し、押し込みにより突出と没入とがなされるものとされている。このようなプッシュオープン式ラッチを設けることで、閉位置とされた下段扉部４０の前面を後方に向けて押すことで容易に開放させることができ、使い勝手が良い。
【００５７】
なお、下段ユニット４を閉位置に保持する機構としては、このようなものに限られず、本体部１０の背板部１１等にスライド係合部を有したラッチ受けを設け、これに係合するラッチ部を有した公知のプッシュオープン式ラッチを採用するようにしてもよい。若しくは、下段ユニット４側にラッチ受けを設け、本体部１０側にプッシュオープン式ラッチを設けるようにしてもよい。または、プッシュオープン式のものに限られず、磁石の吸着により下段ユニット４を閉位置に保持するマグネットキャッチとしてもよく、その他、適宜の閉位置保持手段を設けるようにしてもよい。例えば、上段扉部２０の下端２４等に閉位置における下段扉部４０の先端部４２を係止する係止片等を設け、上段ユニット２を閉位置とすることで、下段ユニット４が閉位置で保持される構造としてもよい。
【００５８】
また、下段扉部４０の先端部４２には、図７（ａ）に示すように、テーブル５０の一端部５１が回動自在かつ着脱自在に連結されている。
テーブル５０は、板状体とされており、図６及び図９（ａ）に示すように、使用位置における前端（収納位置における上端）の左右両側に、使用位置における前方（収納位置における上方）に向けて延びるように設けられた一端部としての連結部５１，５１を有している。この連結部５１は、使用位置における下方側に向けて開口する凹所を有しており、この凹所を幅方向に貫通するようにテーブル回動軸５２が設けられている。このテーブル回動軸５２の軸受部４７が下段扉部４０の先端部４２に設けられている。
下段扉部４０の軸受部４７は、本実施形態では、前板部４１の閉位置における後面から後方側に向けて突出するように形成されており、突出方向先端にテーブル回動軸５２を係止する係止爪４７ａを有した構造とされている。この係止爪４７ａは、上記突出方向先端から閉位置における上方側（開放位置における斜め前上方側）に向けて屈曲されるようにして形成されている。テーブル５０の連結部５１は、下段扉部４０の前板部４１の後面と軸受部４７とに規制されて、下段扉部４０の先端部４２に対して回動自在に連結されている。また、テーブル５０の連結部５１は、詳細については後記するが、下段扉部４０の軸受部４７の弾性変形を伴い、下段扉部４０に対して着脱自在とされている。
【００５９】
なお、軸受部４７は、下段扉部４０がテーブル５０によって本体部１０と連結されて物干し位置とされた状態で、当該下段扉部４０に対して、下段回動軸５を回動支点とする斜め前下方（開放方向）への所定以上の回転モーメントが付与された際に、破断するものとしてもよい。例えば、当該物干し装置１が設置される壁９（図３参照）に対する固定強度（木ねじの本数やその保持力など）を考慮して、当該物干し装置１が壁９から落下する前に、軸受部４７が破断するものとしてもよい。この軸受部４７の破断により、下段扉部４０の先端部４２とテーブル５０の連結部５１との連結状態が解除され、下段扉部４０のみが斜め前下方に向けて回動する。このような構成とすれば、物干し装置１全体の落下を防止でき、安全性を向上させることができる。
また、下段扉部４０は、ポリカーボネート（ＰＣ）などの硬質の合成樹脂系材料から射出成型等によって上記形状とされたものとしてもよく、または、金属系材料から形成されたものとしてもよい。
また、下段扉部４０の閉位置とされた状態における手前側に露出する部位等を、塗装や表面化粧シートの貼着により、化粧面としてもよい。または、下段扉部４０の閉位置における前面に、上記同様の鏡を設けるようにしてもよい。
【００６０】
テーブル５０は、閉位置とされた下段扉部４０と本体部１０との間に収納されて収納位置とされる。この収納位置では、テーブル５０が露出せず、見栄えを向上させることができる。一方、開放位置（物干し位置）とされた下段扉部４０と本体部１０との間で保持されて使用位置とされる。この使用位置では、テーブル５０に物品等を載置することができ、壁９（図３参照）に設置される小物棚として利用することができる。また、本実施形態では、上段ユニット２に鏡２１を設けているので、上段ユニット２を閉位置とすれば、テーブル５０に化粧品等を載置して、上段扉部２０の鏡２１を利用して化粧等をすることもでき、鏡台として利用できる。さらに、テーブル５０に洗濯籠等を載置して、物干し作業等を行うこともできる。また、この使用位置においても、下段扉部４０は、開放位置で保持されているので、例えば、扉を本体から取り外してテーブル５０を使用位置とするようなものと比べて、下段扉部４０が邪魔にならず、使い勝手が良い。
また、本実施形態では、図３（ｂ）に示すように、テーブル５０は、上述のように下端部を回動支点として回動される下段扉部４０の先端部４２と、本体部１０の高さ方向略中間部位との間で略水平に保持可能とされている。これによれば、例えば、壁面から起倒可能に片持ち状に支持されるようなものと比べて、下段扉部４０と本体部１０とによってテーブル５０を安定して支持することができる。
【００６１】
このテーブル５０の使用位置における高さ位置は、閉位置とされた上段ユニット２の鏡２１の下端から所定間隔を空けた低い高さ位置としてもよい。この所定間隔は、上記程度の高さ寸法とされた鏡２１を鏡台として利用可能なように、１００ｍｍ〜３００ｍｍ程度としてもよい。これによれば、上段扉部２０の鏡２１を見ながらテーブル５０に化粧品等を載置して化粧等をする際に、使い勝手が良い。
また、このテーブル５０の長さ寸法は、３５０ｍｍ〜４５０ｍｍ程度としてもよい。これによれば、使用位置において、手前側に大きく突出せず、当該テーブル５０を小物置きとして、また、鏡台として有効に利用することができる。
また、このテーブル５０は、図４（ｂ）に示すように、上記のように幅方向に間隔を空けて設けられた一対の上段竿体３０，３０の間の幅寸法よりも小さい幅寸法とされており、この幅寸法は、例えば、１００ｍｍ〜２００ｍｍ程度としてもよい。このような幅寸法とすることで、収納位置では、テーブル５０を一対の上段竿体３０，３０の間に収納することができ、壁９に設置される当該物干し装置１のコンパクト化（薄型化）を効率的に図ることができる。
【００６２】
また、テーブル５０は、図７（ａ）、図８（ｃ）及び図９（ｃ）に示すように、使用位置における上面側に、上方に向けて開口する比較的に浅い収納凹所５４を有したトレー状に形成されている。このような収納凹所５４を設けることで、この収納凹所５４に載置された物品等の落下を防止することができる。
本実施形態では、収納凹所５４は、使用位置における後方側に設けられた比較的に浅い後方側の収納凹所５４と、手前側に設けられた比較的に深い手前側の収納凹所５４とを有している。例えば、後方側の収納凹所５４に落下し難い化粧ポーチ等を載置したり、手前側の収納凹所５４に落下し易いものや使用頻度の高いリップやアイラインペンシル、ボトルなどを載置したりすることができ、状況に応じた使用をすることができ、使い勝手が良い。
【００６３】
このテーブル５０は、上述のように物品等を載置するテーブルとして機能するとともに、例えば、上記したような収納凹所５４の縁部等に小物ハンガー等を引っ掛けることができ、上下段の竿体３０，４０の間に配設される中段竿体としても機能する。このような中段竿体として機能するテーブル５０を設けることで、上下段の竿体３０，４０に加えて、このテーブル５０を利用して洗濯物等を干すことができる。
なお、図６及び図７（ａ）において示す符号５４ａは、手前側の収納凹所５４の隅部に設けられた水抜き開口である。
また、図例では、テーブル５０の長さ方向（使用位置における前後方向）の略全長に亘って収納凹所を設けた例を示しているが、手前側及び後方側のうちいずれか一方のみに設けるようにしてもよく、このような収納凹所を設けないようにしてもよい。
【００６４】
また、テーブル５０は、本実施形態では、上記したように、その一端部の連結部５１が下段扉部４０の先端部４２に回動自在かつ着脱自在に連結されている一方、その他端部が本体部１０の背板部１１に設けられた係止部１６に着脱自在に係止する構造とされている。このような構成とすることで、収納位置からテーブル５０を使用位置とする際における操作性が良い。
テーブル５０の他端部には、図９（ｃ）、（ｄ）に示すように、本体部１０の係止部１６に係止する係止孔５３が設けられている。この係止孔５３は、使用位置における後端部の幅方向略中央部において厚さ方向（上下方向）に貫通して形成されており、この係止孔５３に本体部１０の係止部１６の係止爪片部１６ｂが挿通されて係止し、使用位置とされたテーブル５０の他端部が支持される。
なお、テーブル５０は、耐衝撃性ポリスチレン（ＨＩＰＳ）などの硬質の合成樹脂系材料から射出成型等によって上記形状とされたものとしてもよい。または、金属系材料から形成されたものとしてもよい。また、使用位置における下面側に適宜のリブやハニカム形状の凹部を設けるようにしてもよい。
【００６５】
上記構成とされた下段ユニット４を閉位置から開放位置とする際には、閉位置とされた下段扉部４０の前面を後方側に向けて押し、下段扉部４０を上記所定の開放位置となるまで開放させる（図３（ｂ）参照）。次いで、下段扉部４０の先端部４２に回動自在に連結されたテーブル５０をテーブル回動軸５２廻りに上方に向けて回動させ、その他端部に設けられた係止孔５３を本体部１０の係止部１６に係止させる（図７（ａ）及び図９（ｃ）、（ｄ）参照）。この状態では、テーブル５０には、下段扉部４０の開放方向への回転モーメントにより、略前方に向けて引っ張り力が付与された状態となるが、本体部１０の係止部１６の係止によって前方への移動が規制される。また、この係止部１６の支持片部１６ａがテーブル５０の他端部の使用位置における下面に当接し、テーブル５０の他端部の下方側への移動が規制される。また、この係止部１６の係止爪片部１６ｂがテーブル５０の他端部の使用位置における上面に当接し、テーブル５０の他端部の上方側への移動が規制される。
これにより、下段ユニット４が開放位置となり、その下段扉部４０が物干し位置、テーブル５０が使用位置となる。
【００６６】
一方、開放位置とされた下段ユニット４を閉位置とする際には、下段扉部４０を、その下端を回動支点として、斜め後上方（閉方向）側に少許、回動させる。これにより、図９（ｄ）の二点鎖線に示すように、テーブル５０が後方側に向けて少許、移動し、その係止孔５３と本体部１０の係止部１６との係止状態の解除が可能となる。この状態で、テーブル５０をテーブル回動軸５２廻りに上方に向けて少許、回動させ、また、下段扉部４０を開放方向側に少許、回動させて、テーブル５０の他端部を本体部１０の係止部１６と上下で重合しない位置まで移動させる。そして、テーブル５０を下段扉部４０と略平行となるように折り畳み（図９（ｂ）参照）、下段扉部４０を閉方向側に向けて回動させ、マグネットラッチ４８を本体部１０の背板部１１に吸着させる。このマグネットラッチ４８の吸着力は、下段ユニット４の閉位置の保持が可能で、意図せずに下段ユニット４が開放されないものとすればよい。
これにより、下段ユニット４が閉位置となり、その下段扉部４０が閉位置、テーブル５０が収納位置となる。
【００６７】
また、テーブル５０を下段扉部４０から取り外す際には、下段扉部４０を上記所定の開放位置とし、上記のように折り畳んだ状態で、図９（ｂ）に示すように、テーブル５０を斜め前上方側に向けてスライドさせるようにして移動させる。これにより、下段扉部４０の軸受部４７の弾性変形を伴い、軸受部４７によるテーブル回動軸５２の係止が解除され、テーブル５０を取り外すことができる。一方、テーブル５０を下段扉部４０に取り付ける際には、上記とは逆に、テーブル５０のテーブル回動軸５２を、下段扉部４０の軸受部４７の弾性変形を伴い、これに係止させることで、取り付けることができる。
このように、本実施形態では、テーブル５０を下段扉部４０に対して着脱自在としているので、テーブル５０を下段扉部４０から取り外すことで、テーブル５０を容易に、かつ隅々まで清掃することができる。
なお、下段扉部４０の軸受部４７の形状は、図例のものに限られず、開放位置における斜め前上方に向けて開口するような係止凹所を有したものとしてもよい。また、下段扉部４０とテーブル５０の連結部５１とを着脱自在とする構造は、軸受部４７の弾性変形を伴うようなものに限られない。例えば、下段扉部の軸受部を幅方向に貫通する孔状のものとし、これにテーブルのテーブル回動軸が抜き差し自在とされたようなものとしてもよい。
【００６８】
次に、本発明に係る他の実施の形態について、図面を参照しながら説明する。
図１０は、第２実施形態に係る収納テーブル装置としての物干し装置について説明するための説明図である。
なお、上記第１実施形態との相違点について主に説明し、同様の構成については、同一符号を付し、その説明を省略または簡略に説明する。
【００６９】
本実施形態に係る物干し装置１Ａは、下段ユニット４Ａの下段扉部４０を上記所定の開放位置に保持する保持部の構造及びテーブル５０Ａの構造が上記第１実施形態とは主に異なる。
テーブル５０Ａは、上記した手前側の収納凹所５４の両側縁部に、幅方向内方側かつ凹所の底面に向けて傾斜する方向に切欠くように形成され、凹湾曲面形状とされた複数（図例では、各４個）の凹部５５を有している。図例では、これら凹部５５は、凹みの大きさが異なるものとしている。
このような凹部５５を設けることで、例えばリップやアイラインペンシル等の棒状の物品をこの凹部５５に引っ掛けるようにして手前側の収納凹所５４に載置することができ、棒状の物品が前後に転がるようなことを防止することができる。
【００７０】
なお、図例では、手前側の収納凹所５４に設けた例を示しているが、これに代えて、または加えて、後方側の収納凹所５４に上記同様の凹部を設けるようにしてもよい。
また、収納凹所５４の両側縁部のうちの一方のみに設けるようにしてもよく、また、複数に限られず、一つの凹部のみを設ける態様としてもよい。
さらに、図例では、収納凹所５４の両側縁部に、幅方向内方側かつ凹所の底面に向けて傾斜する方向に切欠くように凹部５５を形成した例を示しているが、テーブル５０Ａの収納凹所５４の両側部を幅方向に切り欠くように形成された溝状のものとしてもよい。
【００７１】
また、本実施形態では、テーブル５０Ａは、使用位置における後方側下面の幅方向両側（図１０では一方側のみを図示している。）に形成された複数の小物掛部５６を有している。
この小物掛部５６は、テーブル５０Ａの両側片部を打ち抜くようにしてクリップ状に形成されており、使用位置における前後方向への弾性変形を伴い、ハンカチや靴下等の小物の洗濯物の挟持が可能とされている。
このような小物掛部５６を設けることで、テーブル５０Ａの下方側の下段扉部４０までのスペースを洗濯物等の物干しスペースとして有効に利用することができる。
なお、小物掛部５６の形状は、図例のものに限られず、小物の洗濯物等の挟持が可能な形状とすればよい。
【００７２】
また、本実施形態では、本体部１０Ａとテーブル５０Ａの他端部（使用位置における後端部）とを連結する保持アーム５８を備えており、この保持アーム５８及びテーブル５０Ａによって下段扉部４０が上記所定の開放位置に保持される構造とされている。
保持アーム５８は、テーブル５０Ａの幅方向両側に設けられており、その一端部には、内方側に向けて屈曲されるように形成されたテーブル５０Ａとの連結軸５８ａ，５８ａが設けられている。また、この保持アーム５８の他端部には、他端部同士を幅方向に連結すするようにして形成された本体部１０Ａとの連結軸５８ｂが設けられている。
【００７３】
テーブル５０Ａの他端部の幅方向両側には、保持アーム５８の一端部に設けられた連結軸５８ａが差し込まれ、この連結軸５８ａを回動自在に支持する軸受部５７，５７が設けられている。
本体部１０Ａの背板部１１の前面には、保持アーム５８の他端部に設けられた連結軸５８ｂが挿通されるとともに、この連結軸５８ｂの上下方向に沿う移動をガイドするガイド部材５９が設けられている。このガイド部材５９は、背板部１１の前面において、係止部１６の下方側に設けられている。
【００７４】
上記構成とされた下段ユニット４Ａでは、図示は省略するが、以下のように、下段扉部４０が上記所定の開放位置とされる。
まず、テーブル５０Ａの他端部の係止孔５３と本体部１０Ａの係止部１６との係止状態を解除させ、テーブル５０Ａを前方へ移動させるとともに、下段扉部４０を開放方向へ回動させる。この動作に伴い、保持アーム５８は、その一端部の連結軸５８ａがテーブル５０Ａに対して相対的に回動しながら、斜め前下方に向けて回動する。また、その他端部の連結軸５８ｂが本体部１０Ａに対して回動するとともに、本体部１０Ａのガイド部材５９にガイドされながら下方に向けて移動する。これにより、テーブル５０Ａと保持アーム５８とが略直線状に連なるような状態となり、これらによって、下段扉部４０の先端部４２が斜め後上方から支持され、下段扉部４０が上記所定の開放位置で支持される。
この所定の開放位置では、上記第１実施形態と同様、上段ユニット２の一対の上段竿体３０，３０を、下段ユニット４に接触させることなく、収納位置と物干し位置とに変位させることができる。
【００７５】
なお、この場合、上記した軸受金具１７の下面に設けられた制振ゴム１８を設けないようにしてもよい。
また、本実施形態に係る物干し装置１Ａが備えるテーブル５０Ａを取り外す際には、保持アーム５８を幅方向外方側に撓ませるようにして拡開させることで、その一端部に設けられた連結軸５８ａ，５８ａを、テーブル５０Ａの軸受部５７，５７から脱離させる。そして、上記同様にしてテーブル５０Ａを下段扉部４０から取り外すことができる。また、取り付ける際も同様にして、保持アーム５８の一端部の連結軸５８ａ，５８ａをテーブル５０Ａの軸受部５７，５７に差し込むことで取り付けることができる。
【００７６】
上記構成とされた本実施形態に係る物干し装置１Ａによれば、上記第１実施形態と概ね同様の効果を奏する。
また、本実施形態では、下段扉部４０の上記所定の開放位置が本体部１０Ａに連結されたテーブル５０Ａ及び保持アーム５８によって斜め後上方から支持されるようにして保持されるので、下段扉部４０をより安定して上記所定の開放位置に保持することができる。
さらに、上記所定の開放位置では、テーブル５０Ａの後方側が下段扉部４０から浮いた状態で保持アーム５８によって保持された状態となるので、テーブル５０Ａを使用位置とする際、つまり、他端部を本体部１０Ａの係止部１６に係止させる際の操作性が良い。
【００７７】
なお、本体部１０を壁９に対して固定するための固定部としては、上記した例に限られない。上記した例では、固定部のうちの少なくともいずれか一つを、固定止具が挿通されるだるま孔状の位置決め孔としているが、このような位置決め孔を設けずに、全ての固定部を丸孔状の止具挿通孔としてもよい。さらには、上記したように固定止具がそれぞれ挿通される孔状のものに限られず、壁面に固定された固定金具を介して固定される構造としてもよい。
【００７８】
また、上段竿体は、図例のような棒状のものに限られず、下段扉部と同様の板状体としてもよい。また、一対の上段竿体に限られず、一本の上段竿体としてもよく、三本以上の竿体によって上段竿体を構成するようにしてもよい。この場合、支持アームをそれぞれの竿体に連結させて設けるようにしてもよい。また、複数本の場合には、隣接するそれぞれの竿体の基端側部位同士を上段扉部によって連結するようにしてもよい。
さらに、上段竿体の基端側に、上部カバー部としての上段扉部を設ける態様に代えて、下段扉部によって、収納位置における上段竿体の前面側及び本体部の前面側を開閉自在に覆う態様としてもよい。この場合は、下段扉部の長さ寸法を適宜の長さ寸法とすればよい。また、この場合は、複数本の竿体の基端側部位を互いに連結する連結部材を別途、設けるようにしてもよい。
さらにまた、上記した例では、上段竿体を、物干し位置と収納本体としての本体部に沿うように収納される収納位置とに変位自在としたものを例示しているが、物干し位置において、常時、保持されるものとしてもよい。この場合は、この上段竿体に干渉しないようにこの上段竿体の下方側において下段扉部を閉位置で保持可能なものとしてもよい。
【００７９】
また、上記した例では、上段竿体を有した上段ユニットを本体部の上部に設けた例を示しているが、上段竿体を設けずに、鏡を備えた上部カバー部のみを本体部の上部に設けるようにしてもよい。この場合は、上部カバー部を、本体部の前面側上部を開閉自在に覆う構造としてもよい。この場合、本体部の収納空間の上方側のスペースに仕切り板等を設け、小棚として利用できるようにしてもよい。さらには、鏡を備えた上部カバー部を本体部に対して開閉自在とせずに、前面側上部に固定的に設けるようにしてもよい。
さらに、このような上段ユニットを設けずに、下段ユニットと本体部とを収納テーブル装置として把握するようにしてもよい。この場合は、本体部の高さ寸法を下段扉部に合わせて適宜の寸法とすればよい。
さらにまた、上記した例では、下段扉部に、物干し部を設けた例を示しているが、このような物干し部を設けないようにしてもよい。
また、上記した例では、下段ユニットのテーブルの一端部を下段扉部の先端側に回動自在に連結し、他端部を本体部の係止部に着脱自在に係止させる構造とした例を示しているが、これらを逆としてもよい。つまり、テーブルの他端部を本体部に回動自在に連結し、一端部を下段扉部に設けた係止部に着脱自在に係止させる構造としてもよい。
さらには、このようなテーブルの保持構造に代えて、下段扉部の先端部及び本体部の適所に、テーブルの使用位置における前後方向両端部をそれぞれに係合保持する係合部を設け、これら係合部にテーブルを着脱自在に係合保持させる構造としてもよい。
【符号の説明】
【００８０】
１，１Ａ          物干し装置（収納テーブル装置）
１０，１０Ａ      本体部（収納本体）
１６              係止部
４０              下段扉部（扉体）
４６              収納ポケット（収納部）
５０，５０Ａ      テーブル
５１              テーブルの一端部
５４              収納凹所
９                壁
【図１】
0005571492.tif 000002
【図２】
0005571492.tif 000003
【図３】
0005571492.tif 000004
【図４】
0005571492.tif 000005
【図５】
0005571492.tif 000006
【図６】
0005571492.tif 000007
【図７】
0005571492.tif 000008
【図８】
0005571492.tif 000009
【図９】
0005571492.tif 000010
【図１０】
0005571492.tif 000011